(57)【要約】【課題】簡単な構成で取付位置に応じて表示を回転させることができるスイッチ装置を提供する。【解決手段】本実施の形態に係るスイッチ装置１ａは、例えば、開口を有するスイッチ２１ａ〜スイッチ２４ａが設けられた筐体１０ａと、スイッチ２１ａ〜スイッチ２４ａの開口に露出する面に画像が形成され、外周に沿って複数の歯を有する回転体と、回転体の複数の歯と噛み合うラックギア２６ａと、ラックギア２６ａと噛み合うギアとしてのピニオンギア２７ａと、ピニオンギア２７ａの回転軸に取り付けられ、筐体１０ａの姿勢に応じてピニオンギア２７ａを回転させてピニオンギア２７ａと噛み合うラックギア２６ａを移動させ、ラックギア２６ａの移動に伴ってラックギア２６ａと噛み合う回転体を回転させるカウンターウェイト２９ａと、を備えて概略構成されている。【選択図】図１
2013214401.tif 000002
【特許請求の範囲】
【請求項１】
開口を有するスイッチが設けられた筐体と、
前記スイッチの前記開口に露出する面に画像が形成され、外周に沿って複数の歯を有する表示部と、
前記表示部の前記複数の歯と噛み合う噛合部と、
前記噛合部と噛み合うギアと、
前記ギアの回転軸に取り付けられ、前記筐体の姿勢に応じて前記ギアを回転させて前記ギアと噛み合う前記噛合部を移動させ、前記噛合部の移動に伴って前記噛合部と噛み合う前記表示部を回転させる重りと、
を備えたスイッチ装置。
【請求項２】
前記噛合部が、前記複数の歯と噛み合う歯が直線状に並ぶラックギアである請求項１に記載のスイッチ装置。
【請求項３】
前記噛合部が、球形状を有する球体と、前記球体同士を接続する接続部と、から構成されるチェーンである請求項１に記載のスイッチ装置。
【請求項４】
前記チェーンが、先端と終端とが接続されたループ形状を有する請求項３に記載のスイッチ装置。
【請求項５】
電子機器と無線で通信を行う通信部を有する請求項１乃至４の何れか１項に記載のスイッチ装置。
【発明の詳細な説明】
【技術分野】
【０００１】
本発明の実施の形態は、スイッチ装置に関する。
【背景技術】
【０００２】
従来の技術として、携帯電話機の縦向き、右９０度の向き、及び左９０度の向きの３方向で文字が読めるように向きを変えてキーに印字し、携帯電話機の向きに応じて文字が読めるように光源を切り替える携帯電話機が知られている（例えば、特許文献１参照。）。
【０００３】
この携帯電話機は、姿勢に基づいて光源を切り替えるので、携帯電話機がどの向きであってもキーに印字した文字を正しい向きで読むことができる。
【先行技術文献】
【特許文献】
【０００４】
【特許文献１】特開２００５−１２４９３号公報
【発明の概要】
【発明が解決しようとする課題】
【０００５】
しかし従来の携帯電話機は、少なくとも複数の光源、及び姿勢を検出するためのセンサが必要であり、コスト高となる問題があった。
【０００６】
従って、本発明の目的は、簡単な構成で取付位置に応じて表示を回転させることができるスイッチ装置を提供することにある。
【課題を解決するための手段】
【０００７】
本発明の一態様は、開口を有するスイッチが設けられた筐体と、スイッチの開口に露出する面に画像が形成され、外周に沿って複数の歯を有する表示部と、表示部の複数の歯と噛み合う噛合部と、噛合部と噛み合うギアと、ギアの回転軸に取り付けられ、筐体の姿勢に応じてギアを回転させてギアと噛み合う噛合部を移動させ、噛合部の移動に伴って噛合部と噛み合う表示部を回転させる重りと、を備えたスイッチ装置を提供する。
【発明の効果】
【０００８】
本発明によれば、簡単な構成で取付位置に応じて表示を回転させることができる。
【図面の簡単な説明】
【０００９】
【図１】図１（ａ）は、第１の実施の形態に係るスイッチ装置の概略図であり、（ｂ）は、側面図であり、（ｃ）は、スイッチ装置の表示の回転を説明するための模式図である。
【図２】図２（ａ）は、第１の実施の形態に係るスイッチ装置を縦にした概略図であり、（ｂ）は、表示の回転を説明するための模式図であり、（ｃ）は、スイッチ装置のブロック図である。
【図３】図３（ａ）は、第２の実施の形態に係るスイッチ装置の斜視図であり、（ｂ）は、タブレットに装着されたスイッチ装置を示す概略図である。
【図４】図４（ａ）〜（ｃ）は、第２の実施の形態に係るスイッチ装置の取付位置ごとの表示の回転を説明するための概略図である。
【図５】図５（ａ）は、第２の実施の形態に係るスイッチ装置の表示の回転を説明するための模式図であり、（ｂ）は、第３の実施の形態に係るスイッチ装置の表示の回転を説明するための模式図である。
【発明を実施するための形態】
【００１０】
（実施の形態の要約）
実施の形態に係るスイッチ装置は、開口を有するスイッチが設けられた筐体と、スイッチの開口に露出する面に画像が形成され、外周に沿って複数の歯を有する表示部と、表示部の複数の歯と噛み合う噛合部と、噛合部と噛み合うギアと、ギアの回転軸に取り付けられ、筐体の姿勢に応じてギアを回転させてギアと噛み合う噛合部を移動させ、噛合部の移動に伴って噛合部と噛み合う表示部を回転させる重りと、を備える。
【００１１】
[第１の実施の形態]
（スイッチ装置１ａの構成）
図１（ａ）は、第１の実施の形態に係るスイッチ装置の概略図であり、（ｂ）は、側面図であり、（ｃ）は、スイッチ装置の表示の回転を説明するための模式図である。図２（ａ）は、第１の実施の形態に係るスイッチ装置を縦にした概略図であり、（ｂ）は、表示の回転を説明するための模式図であり、（ｃ）は、スイッチ装置のブロック図である。なお、実施の形態に係る各図において、部品と部品との比率は、実際の比率とは異なる場合がある。
【００１２】
このスイッチ装置１ａは、一例として、複数のスイッチが設けられ、スイッチの押し下げによって生成されるスイッチ信号を無線で対応する電子機器に送信するものである。以下では、スイッチ装置１ａが、一例として、４つのスイッチを備えた場合について説明する。
【００１３】
本実施の形態に係るスイッチ装置１ａは、例えば、後述する開口を有するスイッチ２１ａ〜スイッチ２４ａが設けられた筐体１０ａと、スイッチ２１ａ〜スイッチ２４ａの開口に露出する面に画像が形成され、外周に沿って複数の歯を有する表示部としての後述する回転体と、回転体の複数の歯と噛み合う噛合部としてのラックギア２６ａと、ラックギア２６ａと噛み合うギアとしてのピニオンギア２７ａと、ピニオンギア２７ａの回転軸に取り付けられ、筐体１０ａの姿勢に応じてピニオンギア２７ａを回転させてピニオンギア２７ａと噛み合うラックギア２６ａを移動させ、ラックギア２６ａの移動に伴ってラックギア２６ａと噛み合う回転体を回転させる重りとしてのカウンターウェイト２９ａと、を備えて概略構成されている。
【００１４】
筐体１０ａは、図１（ａ）及び（ｂ）に示すように、下筐体１１ａと、上筐体１２ａと、を備えて概略構成されている。
【００１５】
下筐体１１ａは、細長い板形状を有している。下筐体１１ａは、上筐体１２ａ側の上面１１０ａに凸部１１１ａ及び凸部１１２ａが設けられている。この凸部１１１ａ及び凸部１１２ａは、対向し、ピン１３ａが挿入される孔がそれぞれ形成されている。なお図１（ｂ）において括弧で示す凸部１１２ａ及び凸部１２３ａは、逆側に設けられた同様の形状の凸部の符号である。
【００１６】
上筐体１２ａは、長手方向の端部が折れた板形状を有している。この折れた部分は、下筐体１１ａの上面１１０ａと面で接触するように形成されている。上筐体１２ａは、下筐体１１ａ側の下面１２１ａに凸部１２２ａ及び凸部１２３ａが形成されている。この凸部１２２ａ及び凸部１２３ａは、対向し、ピン１３ａが挿入される孔がそれぞれ形成されている。
【００１７】
また下筐体１１ａと上筐体１２ａの間には、ねじりコイルばねであるばね１４ａが配置されている。このばね１４ａは、下筐体１１ａと上筐体１２ａに弾性力を付加するように構成されている。
【００１８】
つまり筐体１０ａは、下筐体１１ａの凸部１１１ａと上筐体１２ａの凸部１２２ａが重なり合い、下筐体１１ａの凸部１１２ａと上筐体１２ａの凸部１２３ａが重なり合って孔を一致させて下筐体１１ａと上筐体１２ａの間にばね１４ａを配置し、孔にピン１３ａが挿入されて取り付けられている。この筐体１０ａは、下筐体１１ａと上筐体１２ａとで、対象物を挟むことで、対象物に取り付けられる、クリップのような構成となっている。
【００１９】
また上筐体１２ａの上面１２０ａには、例えば、スイッチ２１ａ〜スイッチ２４ａが設けられている。このスイッチ２１ａ〜スイッチ２４ａは、押し下げることでオンとなるスイッチである。
【００２０】
スイッチ２１ａは、ボタン２１０ａと、回転体２１２ａと、スイッチ部２１６ａと、を備えて概略構成されている。ボタン２１０ａは、矩形状を有し、開口２１１ａが形成されている。この開口２１１ａには、回転体２１２ａの表示面２１３ａが露出している。この表示面２１３ａには、「Ａ」の文字が形成されている。
【００２１】
回転体２１２ａは、図１（ｃ）に示すように、円板形状を有している。回転体２１２ａは、その周の半分に複数の歯からなるギア部２１４ａが形成されている。このギア部２１４ａは、ラックギア２６ａのギア部２６０ａと噛み合うように構成されている。
【００２２】
スイッチ部２１６ａは、ボタン２１０ａの押し下げによりオンするスイッチである。スイッチ部２１６ａは、図２（ｃ）に示すように、スイッチ装置１ａの制御部１００に電気的に接続され、オンすることでスイッチ信号Ｓ１を制御部１００に出力するように構成されている。
【００２３】
スイッチ２２ａは、ボタン２２０ａと、回転体２２２ａと、スイッチ部２２６ａと、を備えて概略構成されている。ボタン２２０ａは、矩形状を有し、開口２２１ａが形成されている。この開口２２１ａには、回転体２２２ａの表示面２２３ａが露出している。この表示面２２３ａには、「Ｂ」の文字が形成されている。
【００２４】
回転体２２２ａは、図１（ｃ）に示すように、円板形状を有している。回転体２２２ａは、その周の半分に複数の歯からなるギア部２２４ａが形成されている。このギア部２２４ａは、ラックギア２６ａのギア部２６０ａと噛み合うように構成されている。
【００２５】
スイッチ部２２６ａは、ボタン２２０ａの押し下げによりオンするスイッチである。スイッチ部２２６ａは、図２（ｃ）に示すように、スイッチ装置１ａの制御部１００に電気的に接続され、オンすることでスイッチ信号Ｓ２を制御部１００に出力するように構成されている。
【００２６】
スイッチ２３ａは、ボタン２３０ａと、回転体２３２ａと、スイッチ部２３６ａと、を備えて概略構成されている。ボタン２３０ａは、矩形状を有し、開口２３１ａが形成されている。この開口２３１ａには、回転体２３２ａの表示面２３３ａが露出している。この表示面２３３ａには、「Ｃ」の文字が形成されている。
【００２７】
回転体２３２ａは、図１（ｃ）に示すように、円板形状を有している。回転体２３２ａは、その周の半分に複数の歯からなるギア部２３４ａが形成されている。このギア部２３４ａは、ラックギア２６ａのギア部２６０ａと噛み合うように構成されている。
【００２８】
スイッチ部２３６ａは、ボタン２３０ａの押し下げによりオンするスイッチである。スイッチ部２３６ａは、図２（ｃ）に示すように、スイッチ装置１ａの制御部１００に電気的に接続され、オンすることでスイッチ信号Ｓ３を制御部１００に出力するように構成されている。
【００２９】
スイッチ２４ａは、ボタン２４０ａと、回転体２４２ａと、スイッチ部２４６ａと、を備えて概略構成されている。ボタン２４０ａは、矩形状を有し、開口２４１ａが形成されている。この開口２４１ａには、回転体２４２ａの表示面２４３ａが露出している。この表示面２４３ａには、「Ｄ」の文字が形成されている。
【００３０】
回転体２４２ａは、図１（ｃ）に示すように、円板形状を有している。回転体２４２ａは、その周の半分に複数の歯からなるギア部２４４ａが形成されている。このギア部２４４ａは、ラックギア２６ａのギア部２６０ａと噛み合うように構成されている。
【００３１】
スイッチ部２４６ａは、ボタン２４０ａの押し下げによりオンするスイッチである。スイッチ部２４６ａは、図２（ｃ）に示すように、スイッチ装置１ａの制御部１００に電気的に接続され、オンすることでスイッチ信号Ｓ４を制御部１００に出力するように構成されている。
【００３２】
なお回転体２１２ａ、回転体２２２ａ、回転体２３２ａ及び回転体２４２ａは、上筐体１２ａに回転可能に支持されているものとする。
【００３３】
ラックギア２６ａは、回転体のギア部に噛み合う歯が直線状に並ぶギアである。この回転体のギア部に噛み合う歯は、ギア部２６０ａである。このラックギア２６ａは、上筐体１２ａに移動可能に支持されている。
【００３４】
ピニオンギア２７ａは、回転軸であるピン２７０ａによりカウンターウェイト２９ａを支持する支持部２８ａと一体となっている。つまり、カウンターウェイト２９ａが左右に振れると、この振れに基づいてピニオンギア２７ａが回転するように構成されている。このピニオンギア２７ａは、上筐体１２ａに回転可能に支持されている。
【００３５】
つまり回転体２１２ａ、回転体２２２ａ、回転体２３２ａ及び回転体２４２ａは、ピニオンギア２７ａと同じ角度分回転するように構成されている。言い換えるなら、ピニオンギア２７ａが半回転した場合、回転体２１２ａ、回転体２２２ａ、回転体２３２ａ及び回転体２４２ａは、同じ方向に半回転する。
【００３６】
スイッチ装置１ａは、図２（ｃ）に示すように、制御部１００と、通信部１０１と、を備えている。制御部１００は、例えば、記憶されたプログラムに従って、取得したデータに演算、加工等を行うＣＰＵ（Central Processing Unit）、半導体メモリであるＲＡＭ（Random Access Memory）及びＲＯＭ（Read Only Memory）等から構成されるマイクロコンピュータである。また通信部１０１は、無線により電子機器と通信を行うように構成されている。制御部１００は、スイッチ２１ａ〜スイッチ２４ａから取得したスイッチ信号Ｓ１〜スイッチ信号Ｓ４に基づいて操作情報を生成し、通信部１０１を介して電子機器に出力するように構成されている。
【００３７】
以下に、スイッチ装置１ａの表示の回転について説明する。
【００３８】
操作者が、図１（ａ）に示すように、スイッチ装置１ａを横向きにした状態から、図２（ａ）に示すように、縦向きにした場合、カウンターウェイト２９ａのラックギア２６ａに対する向きが重力によって変わる。つまり、支持部２８ａがラックギア２６ａの長手方向と交差していた状態から、ラックギア２６ａの長手方向とほぼ平行となる状態へと移動する。
【００３９】
従ってピニオンギア２７ａが、図２（ｂ）に示すラックギア２６ａを下向きに移動させるように回転する。このラックギア２６ａの移動に伴って、回転体２１２ａ、回転体２２２ａ、回転体２３２ａ及び回転体２４２ａが回転する。この回転により、表示面２１３ａ、表示面２２３ａ、表示面２３３ａ及び表示面２４３ａの表示、つまり文字が読める方向に回転する。
【００４０】
（第１の実施の形態の効果）
本実施の形態に係るスイッチ装置１ａは、簡単な構成で取付位置に応じて表示を回転させることができる。具体的には、スイッチ装置１ａは、カウンターウェイト２９ａにピニオンギア２７ａが接続されているので、スイッチ装置１ａの姿勢に応じてラックギア２６ａに対してカウンターウェイト２９ａが回転すると共にピニオンギア２７ａが回転する。このピニオンギア２７ａの回転により、ラックギア２６ａが移動すると共に回転体２１２ａ、回転体２２２ａ、回転体２３２ａ及び回転体２４２ａが回転する。この回転体２１２ａ、回転体２２２ａ、回転体２３２ａ及び回転体２４２ａは、ピニオンギア２７ａと同じ角度分回転するように構成されているので、スイッチ装置１ａは、取付位置によって姿勢が変わっても、文字が読める正しい向きとなるように表示を回転させることができる。
【００４１】
またスイッチ装置１ａは、モータ等の機械要素を用いて表示を回転させるような制御を行わないので、簡単な構成を備え、低コストで製造される。
【００４２】
［第２の実施の形態］
第２の実施の形態は、歯が直線状に並ぶラックギアではなく、チェーンを用いている点で第１の実施の形態と異なっている。なお以下に記載する各実施の形態において、第１の実施の形態と同じ機能及び構成を有する部分については、第１の実施の形態と同じ符号を付し、その説明は省略するものとする。
【００４３】
（スイッチ装置１ｂの構成）
図３（ａ）は、第２の実施の形態に係るスイッチ装置の斜視図であり、（ｂ）は、タブレットに装着されたスイッチ装置を示す概略図である。図４（ａ）〜（ｃ）は、第２の実施の形態に係るスイッチ装置の取付位置ごとの表示の回転を説明するための概略図である。図５（ａ）は、第２の実施の形態に係るスイッチ装置の表示の回転を説明するための模式図である。
【００４４】
筐体１０ｂは、図３（ａ）に示すように、下筐体１１ｂと、上筐体１２ｂと、を備えて概略構成されている。
【００４５】
下筐体１１ｂは、細長い板形状を有している。下筐体１１ｂは、上筐体１２ｂ側の上面１１０ｂに凸部１１１ｂ及び凸部１１２ｂが設けられている。この凸部１１１ｂ及び凸部１１２ｂは、対向し、ピン１３ｂが挿入される孔がそれぞれ形成されている。なお図３（ａ）において括弧で示す凸部１１２ｂ及び凸部１２３ｂは、逆側に設けられた同様の形状の凸部の符号である。
【００４６】
上筐体１２ｂは、半円板形状を有している。この先端部分は、下筐体１１ｂの上面１１０ｂと面で接触するように矩形状に形成されている。上筐体１２ｂは、下筐体１１ｂ側の上面１１０ｂに凸部１２２ｂ及び凸部１２３ｂが形成されている。この凸部１２２ｂ及び凸部１２３ｂは、対向し、ピン１３ｂが挿入される孔がそれぞれ形成されている。
【００４７】
また下筐体１１ｂと上筐体１２ｂの間には、ねじりコイルばねが配置されている。このねじりコイルばねは、下筐体１１ｂと上筐体１２ｂに弾性力を付加するように構成されている。
【００４８】
つまり筐体１０ｂは、下筐体１１ｂの凸部１１１ｂと上筐体１２ｂの凸部１２２ｂが重なり合い、下筐体１１ｂの凸部１１２ｂと上筐体１２ｂの凸部１２３ｂが重なり合って孔を一致させて下筐体１１ｂと上筐体１２ｂの間にねじりコイルばねを配置し、孔にピン１３ｂが挿入されて取り付けられている。この筐体１０ｂは、下筐体１１ｂと上筐体１２ｂとで、対象物を挟むことで、対象物に取り付けられる、クリップのような構成となっている。
【００４９】
また上筐体１２ｂの上面１２０ｂには、例えば、スイッチ２１ｂ〜スイッチ２４ｂが、半円を４分割した領域に設けられている。このスイッチ２１ｂ〜スイッチ２４ｂは、押し下げることでオンとなるスイッチである。
【００５０】
スイッチ２１ｂは、ボタン２１０ｂと、回転体２１２ｂと、スイッチ部２１６ａと、を備えて概略構成されている。ボタン２１０ｂは、扇形状を有し、開口２１１ｂが形成されている。この開口２１１ｂには、回転体２１２ｂの表示面２１３ｂが露出している。この表示面２１３ｂには、「Ａ」の文字が形成されている。
【００５１】
回転体２１２ｂは、図５（ａ）に示すように、円板形状を有している。回転体２１２ｂは、その周の半分に複数の歯からなるギア部２１４ｂが形成されている。このギア部２１４ｂは、後述するボールチェーン２６ｂと噛み合うように半円形状に構成されている。
【００５２】
スイッチ部２１６ａは、ボタン２１０ｂの押し下げによりオンするスイッチである。スイッチ部２１６ａは、スイッチ装置１ｂの制御部１００に電気的に接続され、オンすることでスイッチ信号Ｓ１を制御部１００に出力するように構成されている。
【００５３】
スイッチ２２ｂは、ボタン２２０ｂと、回転体２２２ｂと、スイッチ部２２６ａと、を備えて概略構成されている。ボタン２２０ｂは、扇形状を有し、開口２２１ｂが形成されている。この開口２２１ｂには、回転体２２２ｂの表示面２２３ｂが露出している。この表示面２２３ｂには、「Ｂ」の文字が形成されている。
【００５４】
回転体２２２ｂは、図５（ａ）に示すように、円板形状を有している。回転体２２２ｂは、その周の半分に複数の歯からなるギア部２２４ｂが形成されている。このギア部２２４ｂは、ボールチェーン２６ｂと噛み合うように半円形状に構成されている。
【００５５】
スイッチ部２２６ａは、ボタン２２０ｂの押し下げによりオンするスイッチである。スイッチ部２２６ａは、スイッチ装置１ｂの制御部１００に電気的に接続され、オンすることでスイッチ信号Ｓ２を制御部１００に出力するように構成されている。
【００５６】
スイッチ２３ｂは、ボタン２３０ｂと、回転体２３２ｂと、スイッチ部２３６ａと、を備えて概略構成されている。ボタン２３０ｂは、扇形状を有し、開口２３１ｂが形成されている。この開口２３１ｂには、回転体２３２ｂの表示面２３３ｂが露出している。この表示面２３３ｂには、「Ｃ」の文字が形成されている。
【００５７】
回転体２３２ｂは、図５（ａ）に示すように、円板形状を有している。回転体２３２ｂは、その周の半分に複数の歯からなるギア部２３４ｂが形成されている。このギア部２３４ｂは、ボールチェーン２６ｂと噛み合うように半円形状に構成されている。
【００５８】
スイッチ部２３６ａは、ボタン２３０ｂの押し下げによりオンするスイッチである。スイッチ部２３６ａは、スイッチ装置１ｂの制御部１００に電気的に接続され、オンすることでスイッチ信号Ｓ３を制御部１００に出力するように構成されている。
【００５９】
スイッチ２４ｂは、ボタン２４０ｂと、回転体２４２ｂと、スイッチ部２４６ａと、を備えて概略構成されている。ボタン２４０ｂは、扇形状を有し、開口２４１ｂが形成されている。この開口２４１ｂには、回転体２４２ｂの表示面２４３ｂが露出している。この表示面２４３ｂには、「Ｄ」の文字が形成されている。
【００６０】
回転体２４２ｂは、図５（ａ）に示すように、円板形状を有している。回転体２４２ｂは、その周の半分に複数の歯からなるギア部２４４ｂが形成されている。このギア部２４４ｂは、ボールチェーン２６ｂと噛み合うように半円形状に構成されている。
【００６１】
スイッチ部２４６ａは、ボタン２４０ｂの押し下げによりオンするスイッチである。スイッチ部２４６ａは、スイッチ装置１ｂの制御部１００に電気的に接続され、オンすることでスイッチ信号Ｓ４を制御部１００に出力するように構成されている。
【００６２】
ボールチェーン２６ｂは、図５（ａ）に示すように、球形状を有するボール２６０ｂと、ボール２６０ｂとボール２６０ｂとを接続する棒形状の接続部２６１ｂと、を備えて概略構成されている。ボールチェーン２６ｂは、ボール２６０ｂと接続部２６１ｂとの接続のクリアランスが大きいので、図５（ａ）に示すような円形状とすることが容易となっている。
【００６３】
本実施の形態に係るスイッチ装置１ｂは、一例として、図４（ａ）〜（ｃ）に示すように、タブレット３のスイッチ装置として機能する。タブレット３は、表示部３２が一体となったコンピュータである。
【００６４】
このタブレット３は、縦にして使用される際、例えば、図３（ｂ）の紙面左側の枠３０に取り付ける場合、図４（ａ）の紙面右側の枠３０に取り付ける場合等が考えられる。またタブレット３は、横にして使用される際、例えば、図４（ｂ）の紙面上側の枠３０に取り付ける場合、図４（ｃ）の紙面下側の枠３０に取り付ける場合等が考えられる。スイッチ装置１ｂの開口内の表示が固定されている場合、例えば、図３（ｂ）に示すスイッチ装置１ｂが読める文字の向きであると、図４（ａ）〜（ｃ）に示すスイッチ装置１ｂの開口内の表示は、読める向きではない。
【００６５】
しかし、本実施の形態に係るスイッチ装置１ｂは、姿勢に応じてカウンターウェイト２９ａが回転すると共にピニオンギア２７ａが回転し、ボールチェーン２６ｂを図５（ａ）に示す矢印方向に移動させる。この移動に伴ってボールチェーン２６ｂと噛み合っている回転体２１２ｂ、回転体２２２ｂ、回転体２３２ｂ及び回転体２４２ｂが回転する。従って、この回転により、表示面２１３ｂ、表示面２２３ｂ、表示面２３３ｂ及び表示面２４３ｂに形成された文字が読める方向に回転するので、スイッチ装置１ｂは、姿勢に応じて表示が読める方向に回転することとなる。
【００６６】
（第２の実施の形態の効果）
第２の実施の形態に係るスイッチ装置１ｂは、歯が直線状に並ぶラックギアではなく、形状に柔軟性があるボールチェーン２６ｂを用いて回転体を回転させるので、スイッチ装置１ｂの形状に自由度が増す。
【００６７】
［第３の実施の形態］
第３の実施の形態は、ボールチェーン２６ｂが先端２６２ｂと終端２６３ｂとが接続されたループ形状を有する点で第２の実施の形態と異なっている。
【００６８】
図５（ｂ）は、第３の実施の形態に係るスイッチ装置の表示の回転を説明するための模式図である。
【００６９】
本実施の形態に係るスイッチ装置１ｃは、図５（ｂ）に示すように、ボールチェーン２６ｂがループ形状となっている。
【００７０】
回転体２１２ｃは、図５（ｂ）に示すように、円板形状を有している。回転体２１２ｃは、その周の全体に複数の歯からなるギア部２１４ｃが形成されている。このギア部２１４ｃは、ボールチェーン２６ｂと噛み合うように半円形状に構成されている。
【００７１】
回転体２２２ｃは、図５（ｂ）に示すように、円板形状を有している。回転体２２２ｃは、その周の全体に複数の歯からなるギア部２２４ｃが形成されている。このギア部２２４ｃは、ボールチェーン２６ｂと噛み合うように半円形状に構成されている。
【００７２】
回転体２３２ｃは、図５（ｂ）に示すように、円板形状を有している。回転体２３２ｃは、その周の全体に複数の歯からなるギア部２３４ｃが形成されている。このギア部２３４ｃは、ボールチェーン２６ｂと噛み合うように半円形状に構成されている。
【００７３】
回転体２４２ｃは、図５（ｂ）に示すように、円板形状を有している。回転体２４２ｃは、その周の全体に複数の歯からなるギア部２４４ｃが形成されている。このギア部２４４ｃは、ボールチェーン２６ｂと噛み合うように半円形状に構成されている。
【００７４】
本実施の形態に係るスイッチ装置１ｃは、ボールチェーン２６ｂがループ形状を有しているので、スイッチ装置１ｃを同じ方向に回転させ続けても、姿勢に応じて表示面２１３ｃ、表示面２２３ｃ、表示面２３３ｃ及び表示面２４３ｃに形成された文字が読める方向に回転する。
【００７５】
（第３の実施の形態の効果）
第３の実施の形態に係るスイッチ装置１ｂは、ボールチェーン２６ｂがループ形状を有しているので、スイッチ装置１ｃの回転方向を考慮せずに取り付けることができる。
【００７６】
なおボールチェーン２６ｂがループ形状である場合、半円でなく円に沿ってスイッチを配置することも可能である。
【００７７】
またチェーンは、回転体を回転させることができるものであれば、ボールチェーンに限定されず使用することが可能である。
【００７８】
以上、本発明のいくつかの実施の形態を説明したが、これらの実施の形態は、一例に過ぎず、特許請求の範囲に係る発明を限定するものではない。これら新規な実施の形態は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【００７９】
１ａ〜１ｃ…スイッチ装置、３…タブレット、１０ａ、１０ｂ…筐体、１１ａ、１１ｂ…下筐体、１２ａ、１２ｂ…上筐体、１３ａ、１３ｂ…ピン、１４ａ…ばね、２１ａ、２１ｂ…スイッチ、２２ａ、２２ｂ…スイッチ、２３ａ、２３ｂ…スイッチ、２４ａ、２４ｂ…スイッチ、２６ａ…ラックギア、２６ｂ…ボールチェーン、２７ａ…ピニオンギア、２８ａ…支持部、２９ａ…カウンターウェイト、３０…枠、３２…表示部、１００…制御部、１０１…通信部、１１０ａ、１１０ｂ…上面、１１１ａ、１１１ｂ…凸部、１１２ａ、１１２ｂ…凸部、１２０ａ、１２０ｂ…上面、１２１ａ…下面、１２２ａ、１２２ｂ…凸部、１２３ａ、１２３ｂ…凸部、２１０ａ、２１０ｂ…ボタン、２１１ａ、２１１ｂ…開口、２１２ａ〜２１２ｃ…回転体、２１３ａ〜２１３ｃ…表示面、２１４ａ〜２１４ｃ…ギア部、２１６ａ…スイッチ部、２２０ａ、２２０ｂ…ボタン、２２１ａ、２２１ｂ…開口、２２２ａ〜２２２ｃ…回転体、２２３ａ〜２２３ｃ…表示面、２２４ａ〜２２４ｃ…ギア部、２２６ａ…スイッチ部、２３０ａ、２３０ｂ…ボタン、２３１ａ、２３１ｂ…開口、２３２ａ〜２３２ｃ…回転体、２３３ａ〜２３３ｃ…表示面、２３４ａ〜２３４ｃ…ギア部、２３６ａ…スイッチ部、２４０ａ、２４０ｂ…ボタン、２４１ａ、２４１ｂ…開口、２４２ａ〜２４２ｃ…回転体、２４３ａ〜２４３ｃ…表示面、２４４ａ〜２４４ｃ…ギア部、２４６ａ…スイッチ部、２６０ａ…ギア部、２６０ｂ…ボール、２６１ｂ…接続部、２６２ｂ…先端、２６３ｂ…終端、２７０ａ…ピン
【図１】
2013214401.tif 000003
【図２】
2013214401.tif 000004
【図３】
2013214401.tif 000005
【図４】
2013214401.tif 000006
【図５】
2013214401.tif 000007